(57)【要約】      （修正有）【課題】天フラップ同士の係合により閉蓋でき、閉蓋作業が容易な包装箱を提供する。【解決手段】有底四角筒状の胴部と胴部の上部開口を閉塞する天部とを備える紙製の包装箱１である。胴部は、一対の第１側板２１と一対の第２側板２２とで構成される。天部は、各第１側板２１の上縁からその先端縁が互いに対向するように延設された一対の第１天フラップ５と、各第２側板２２の上縁からその先端縁が互いに対向するように延設され第１天フラップ５の外表面に重合される一対の第２天フラップ６とを有する。第２天フラップ６は、第２側板２２の上縁に連設された本体部６１と、本体部６１の先端縁に折目線ｇを介して連設された折返部６３とを有する。第１天フラップ５は、本体部６１に対応する位置に設けられた抱込部と、折返部６３に対応する位置に形成された開口部と、折返部６３の側縁に沿って延びる揺動折目線ｆを介して、開口部の周縁から折返部６３に重合される位置まで延設された揺動片５３とを有する。【選択図】図５
0003223759.tif 000002
【実用新案登録請求の範囲】
【請求項１】
有底四角筒状の胴部と、該胴部の上部開口を閉塞する天部とを備える紙製の包装箱において、
前記胴部は、互いに対向する一対の第１側板と、該第１側板の対向方向に交差する方向で互いに対向する一対の第２側板とが連設されることによって構成され、
前記天部は、各第１側板の上縁からその先端縁が互いに対向するように延設された一対の第１天フラップと、各第２側板の上縁からその先端縁が互いに対向するように延設され前記第１天フラップの外表面に重合される一対の第２天フラップと、を有し、
前記第２天フラップは、前記第２側板の上縁に連設された本体部と、該本体部の先端縁に折目線を介して連設され該第２側板の横幅より幅狭な折返部とを有し、
前記第１天フラップは、前記本体部に対応する位置に設けられた抱込部と、少なくとも前記折返部に対応する位置に該第１天フラップの表裏を貫通することで形成された開口部と、前記折返部の側縁に沿って、または、重合された前記折返部の外側において延びる揺動折目線を介して、該開口部の周縁から前記折返部に重合される位置まで延設された揺動片と、を有することを特徴とする包装箱。
【請求項２】
請求項１記載の包装箱において、
前記揺動片は、前記折返部の基端部に重合する位置まで延設されていることを特徴とする包装箱。
【考案の詳細な説明】
【技術分野】
【０００１】
本考案は、４枚の天フラップ同士の係合により閉蓋できる包装箱に関する。
【背景技術】
【０００２】
従来、起立する４枚の側板により形成された角筒状の胴部と、各側板の上縁に折目線を介して連設された４枚の天フラップとを備え、天フラップによって閉蓋した状態で胴部上部の中央部が開放される段ボール製の包装箱が知られている。この種の包装箱は、長ネギ等の長さの比較的長い野菜類の包装に用いられ、胴部の上部開口の中央部が開放された状態で閉蓋されるので、内容物の状態が外部から容易に確認できるようになっている。
【０００３】
この種の包装箱として、対向する第１天フラップに抱込部を設け、第２天フラップの先端に折返部を連設して、その両側から抜止片を延出したものが知られている（特許文献１参照）。この特許文献１の包装箱によれば、抜止片を折り曲げつつ、折返部を第２天フラップの基端側へ折り返して胴部上部の中央部の開口を通過させ、抜止片の折り曲げを戻してから第２天フラップと折返部とで抱込部を挟み込むことで、折返部が対向する側板の間から抜けることを防止して、胴部の上部開口を閉塞することができる。
【先行技術文献】
【特許文献】
【０００４】
【特許文献１】特開２００４−３５２３５４号
【考案の概要】
【考案が解決しようとする課題】
【０００５】
しかしながら、上記特許文献１の包装箱では、抜止片を折り曲げつつ、折返部を第２天フラップの基端側へ折り返して胴部上部の中央部の開口を通過させる必要があるため、閉蓋作業が煩雑であるという不都合があった。
【０００６】
よって、本考案は、４枚の天フラップ同士の係合により閉蓋でき、この閉蓋作業が容易な包装箱を提供することを目的とする。
【課題を解決するための手段】
【０００７】
かかる目的を達成するために、本考案の包装箱は、
有底四角筒状の胴部と、該胴部の上部開口を閉塞する天部とを備える紙製の包装箱において、
前記胴部は、互いに対向する一対の第１側板と、該第１側板の対向方向に交差する方向で互いに対向する一対の第２側板とが連設されることによって構成され、
前記天部は、各第１側板の上縁からその先端縁が互いに対向するように延設された一対の第１天フラップと、各第２側板の上縁からその先端縁が互いに対向するように延設され前記第１天フラップの外表面に重合される一対の第２天フラップと、を有し、
前記第２天フラップは、前記第２側板の上縁に連設された本体部と、該本体部の先端縁に折目線を介して連設され該第２側板の横幅より幅狭な折返部とを有し、
前記第１天フラップは、前記本体部に対応する位置に設けられた抱込部と、少なくとも前記折返部に対応する位置に該第１天フラップの表裏を貫通することで形成された開口部と、前記折返部の側縁に沿って、または、重合された前記折返部の外側において延びる揺動折目線を介して、該開口部の周縁から前記折返部に重合される位置まで延設された揺動片と、を有することを特徴とする。
【０００８】
本考案の包装箱では、まず、各天フラップを水平方向に折り曲げて、第１天フラップの外表面に第２天フラップを重合させてから、折返部を胴部の内部空間に向かって押す。
【０００９】
このとき、下方に配置される第１天フラップには、前記折返部に対応する位置に開口部が形成されているため、折返部は開口部を通過して第２側板側に折り返すことができ、折返部と本体部とで第１天フラップの抱込部を挟むことができる。
【００１０】
また、このとき、開口部から延設された揺動片は、折返部を押す前には折返部に重合されているが、折返部の側縁に沿って、または、重合された折返部の外側において延びる揺動折目線を介して連設されていることから、折返部を押し込む際には、この揺動折目線で胴部の内側空間向かって屈曲されるので、折返部が開口部を通過することの妨げとならない。
【００１１】
もっとも揺動片は、前記折返部に重合する位置まで延設されているため、折返部が開口部を通過して揺動片が紙の復元力により伸展したときに、第２側板側に折り返された折返部を係止し、折返部が包装箱の内部空間から抜け出ることを防止する。
【００１２】
よって、本考案の包装箱では、折返部を押し込むだけで４枚の天フラップ同士の係合により胴部の上部開口を閉蓋できるため、閉蓋作業が容易である。
【００１３】
本考案の包装箱において、前記揺動片は、前記折返部の基端部に重合する位置まで延設されていることが好ましい。
【００１４】
この構成を備える包装箱によれば、揺動片は、第２側板側に折り返された折返部の基端部を係止するため、折返部が本体部とともに第１天フラップの抱込部を破産見込んだ状態で維持することができる。
【００１５】
よって、本考案の包装箱では、容易な閉蓋作業により４枚の天フラップ同士の係合力を高めることができる。
【図面の簡単な説明】
【００１６】
【図１】本考案に係る包装箱の斜視図
【図２】本考案に係る包装箱の板紙
【図３】本考案に係る包装箱の胴部の上部開口を閉蓋する工程を説明するための斜視図であって、第１天フラップを折り曲げた状態を説明する説明図。
【図４】本考案に係る包装箱の胴部の上部開口を閉蓋する工程を説明するための斜視図であって、第１天フラップの外表面の第２天フラップを重合させた状態を説明する説明図。
【図５】本考案に係る包装箱の胴部の上部開口を閉蓋する工程を説明するための斜視図であって、折返部を押し込むことで揺動片を揺動させた状態を説明する説明図。
【図６】本考案に係る包装箱の胴部の上部開口を閉蓋する工程を説明するための斜視図であって、揺動片が折返部を係止する状態を説明する説明図。
【考案を実施するための形態】
【００１７】
本実施形態の包装箱１は、段ボール製であり、図１に示すように、角筒状の胴部２と、胴部２の下端開口を閉塞する底部３と、胴部２の上端開口を閉蓋する天部４と、によって直方体状に形成される。天部４は、閉蓋状態で中央部が開放されて長ネギ等の野菜類を内容物として包装するのに好適な形状を有している。
【００１８】
包装箱１は、図２において展開して示すように、４枚の側板、即ち、一対の第１側板２１と一対の第２側板２２とが夫々折目線ａを介して交互に連設されている。また、右側の第１側板２１の右端縁には、折目線ａを介して、接着片２３が連設されている。
【００１９】
第２側板２２には、上端中央に矩形状の係止窓部２４が形成されている。
【００２０】
第１側板２１の下端縁には、第１底フラップ３１が折目線ｂを介して連設されており、また、第２側板２２の下端縁には、第２底フラップ３２が、折目線ｃを介して連設されている。
【００２１】
第１側板２１の上端縁には、略Ｕ字状の第１天フラップ５が折目線ｄを介して連設されており、また、第２側板２２の上端縁には略台形状の第２天フラップ６が折目線ｅを介して連設されている。
【００２２】
第１天フラップ５は、左右両側に基端縁から離れる方向に延出する一対の抱込部５１を有する。また、第１天フラップ５には、抱込部５１の内側縁に沿って基端縁に向かって延びるスリット５２が形成されている。本実施形態においては、スリット５２は、その幅が段ボール板紙の厚さと概略一致し、その長さは、隣接するスリット５２の先端と先端との距離が、ヒンジ部６２の幅より若干大きく形成されている。
【００２３】
また、第１天フラップ５には、スリットの先端位置から先端縁の中央側に向かって傾斜して延びる揺動折目線ｆが形成されている。この揺動折目線ｆよりも先端側の三角形状の領域が本考案の揺動片５３に相当する。
【００２４】
第１天フラップ５と第１側板２１との境界には、折目線ｄを跨ぐ略Ｕ字状の係止片５４がそれぞれ２個ずつ形成されている。係止片５４は、折目線ｄに直交する一対の切目線５４ａと該一対の切目線５４ａの下端縁を繋ぐ切目線５４ｂによって形成されている。
【００２５】
第２天フラップ６は、第２側板の上端縁に連設された略等脚台形状の本体部６１を有する。また、第２天フラップ６は、本体部６１の上端縁に折目線ｇを介して連設される略矩形状のヒンジ部６２を有する。また、第２天フラップ６は、ヒンジ部の上端縁に折目線ｈを介して連設される略台形状の折返部６３を有する。折返部６３の先端縁には、係止凸部６４が形成されている。なお、ヒンジ部６２と折返部６３との両方を含んだ領域が、本考案の「折返部」に相当する。
【００２６】
本体部６１の長さは、抱込部５１の幅、及び、係止凸部６４を除いた折返部６３の長さと、それぞれ概略一致している。
【００２７】
次に、以上の構成からなる包装箱１の組立作業について説明する。
【００２８】
まず、第１天フラップ５及び第２天フラップ６を、折目線ａに沿って折り曲げて、第１側板２１の右端縁に連設された接着片２３を左側の第２側板２２の左端部に接着して胴部２を形成する。
【００２９】
次いで、底部３を形成しない状態（第１底フラップ３１と第２底フラップ３２によって閉塞しない状態）で、長ネギ等の野菜類を内容物として収容するに先立って天部４の閉蓋作業を行う。
【００３０】
まず、図３に示すように、両第１天フラップ５を第１側板２１に対して直角となるように折目線ｄに沿って折り曲げて互いの先端縁を対向させる。
【００３１】
このとき、係止片５４は、切目線５４ａ，５４ｂから抜け出て第１天フラップとともに水平になり、自身の内表面が切目線５４ｂの端縁に係止されるため、第１天フラップ５の水平姿勢を維持する。また、このとき、向かい合う抱込部５１の先端縁は、互いに突き合わされる。
【００３２】
なお、このとき、図３における手前側及び奥行側それぞれにおいて、隣接するスリット５２の両先端と揺動折目線ｆの両先端とを結んだ略等脚台形状の領域が、本考案の開口部５５に相当する。
【００３３】
次に、図４に示すように、第２天フラップ６を第２側板２２に対して直角となるように折目線ｅに沿って折り曲げて互いの先端縁を対向させるとともに、予め折り曲げられている第１天フラップ５の上面に重合させる。
【００３４】
このとき、第２天フラップ６の本体部６１は、第１天フラップの抱込部５１に対応する位置に配置され、ヒンジ部６２及び折返部６３は、開口部５５に対応する位置に配置される。また、折返部６３の側縁は、揺動折目線ｆに対応する位置に配置される。そして、揺動片５３は、揺動折目線ｆを介して開口部５５の内側に突出しているため、折返部６３に重合される。
【００３５】
次に、図５に示すように、ヒンジ部６２を本体部６１に対して直角になるように折目線ｇに沿って折り曲げていくことで、折返部６３を胴部２の内部空間に向かって押し込んでいく。
【００３６】
このとき、揺動片５３は、その基端縁（揺動折目線ｆと一致する）が折返部６３の側縁に対応する位置において折返部６３に重合されているため、折返部６３を押し込んでいくことと揺動折目線ｆで屈曲され、折返部６３とともに胴部２の内部空間に向かって押し込まれる。
【００３７】
また、第１天フラップ５の開口部５５は、第２天フラップ６のヒンジ部６２及び折返部６３に対応する位置に開口しているため、揺動片５３が退くことにより、折返部６３は、開口部５５を通過して、胴部２の内部空間に入り込むことができる。
【００３８】
次に、折返部６３をヒンジ部６２に対して直角になるように折目線ｈに沿って折り曲げて第２側板２２側に折り返す。これにより、本体部６１と折返部６３とで抱込部５１を挟み込むことができる。
【００３９】
また、折返部６３の押し込みによって胴部２の内部空間に向かって弾性変形されていた揺動片５３は、折返部６３が通過すると、段ボールの復元力によって元の位置に伸展する。これにより、スリット５２によって形成された揺動片５３の外側縁は、ヒンジ部６２の外表面を係止する。
【００４０】
さらに、第２側板２２側に折り返された折返部６３の先端縁に形成された係止凸部６４を第２側板２２の係止窓部２４に嵌め込む。
【００４１】
以上説明したように、本実施形態の包装箱１は、第２天フラップ６の本体部６１及び折返部６３で第１天フラップ５の抱込部５１を挟み込んだ状態で、第１天フラップ５の揺動片５３が第２天フラップ６のヒンジ部６２を係止するとともに、第２天フラップ６の係止凸部６４が第２側板２２の係止窓部２４で係止されるため、閉蓋状態を確実に維持することができる。
【００４２】
また、この閉蓋作業は、各天フラップを水平方向に折り曲げて、第１天フラップ５に第２天フラップ６を重合させた状態で折返部６３を胴部２の内部空間に押し込むことでできるため、極めて容易に行うことができる。
【００４３】
なお、その後、天部４が閉蓋された胴部２内に野菜類の収容作業を行う。即ち、図示しないが、天部４が閉蓋された胴部２を天地反転させて、開放された底部側から長ネギ等を投入する。次いで、長ネギ等の野菜類を投入した後には、水平に折り曲げられた第２底フラップ３２の外表面に第１底フラップ３１を重合させ、両第１底フラップ３１の先端部をその先端縁に乗って接着テープ等を用いて閉蓋して底部３を形成する。そして、最後に、胴部２を反転させて天部４を上方に向けることにより野菜類の収容作業が完了する。
【００４４】
〔変形例〕
本実施形態では、閉蓋状態で胴部２の上端開口の中央部が開放されている天部４を例に説明したが、本考案はこれに限られず、折返部６３が通過できる開口部５５が形成されていれば、前記中央部は閉塞されていてもよい。
【００４５】
本実施形態では、包装箱を段ボールで形成したが、厚紙で形成してもよい。
【００４６】
本実施形態では、係止窓部２４として、第２側板２２の上端中央に矩形状に形成されたものを例に説明したが、係止窓部２４は、折返部６３の先端を嵌め込めれば、位置、形状、数は適宜変更可能であり、また省略することもできる。
【００４７】
本実施形態では、先端縁が互いに突き合わされる抱込部５１を例に説明したが、抱込部は、先端縁が所定の間隔を存して対向するものであってもよい。
【００４８】
本実施形態では、スリット５２として幅が段ボール板紙の厚さと概略一致したものを例に説明したが、スリットの幅は、段ボール板紙の厚さを超えるものであってもよい。また、スリット５２の長さは、隣接するスリットの先端から先端まででヒンジ部を収納できればよいため、ヒンジ部６２の幅以上であれば適宜設計可能である。
【００４９】
本実施形態では、開口部５５として、ヒンジ部６２及び折返部６３と対応する位置に形成されたものを例に説明したが、本考案はこれに限られず、ヒンジ部６２及び折返部６３と対応する位置よりも大きい開口部を形成することもできる。さらに具体的に言えば、本考案の開口部は、ヒンジ部及び折返部の通過を許容する形状であれば足りるところ、折返部を押し込む際には、第１天フラップも、若干、胴部の内部空間に向かって押し込まれる。そのため、本考案の開口部は、ヒンジ部６２及び折返部６３の外縁がわずかに重合されていても、ヒンジ部６２及び折返部６３を通過させることができる。つまり、本考案では、ヒンジ部６２及び折返部６３が重合される位置よりも若干小さい開口部であっても、（第１天フラップが押し込まれた際に）「対応する位置に形成された」ものということができる。
【００５０】
本実施形態では、揺動折目線ｆとして、折返部６３の側縁に重合する位置に形成されたものを例に説明したが、これに限られず、揺動折目線ｆは、折返部６３が重合する位置よりも外側で延設されるものであってもよい。
【００５１】
また、揺動片５３は三角形状に限られず、矩形状、半円形などであってもよい。
【００５２】
本実施形態では、折目線ｄを跨ぐ略Ｕ字状の係止片５４がそれぞれ２個ずつ形成された例を説明したが、係止片５４の形状、位置、数は、適宜変更可能であり、省略することもできる。
【００５３】
本実施形態では、本体部６１として、略等脚台形状のものを例に説明したが、本体部は、抱込部に重合できれば形状は適宜変更可能である。また、本体部６１の長さは、抱込部５１の幅以上であれば、一致していなくてもよい。
【００５４】
本実施形態では、ヒンジ部として、その幅が、本体部の先端及び折返部の基端と一致したものを例に説明したが、これに限られず、隣接するスリットの内部空間に収まれば、適宜設計変更可能である。
【００５５】
本実施形態では、折返部として、等脚台形状のものを例に説明したが、これに限られず、幅が第２側板以下であって、かつ、第２天フラップを第１天フラップに重合させたときに揺動片と重合できれば、適宜設計変更可能である。
【符号の説明】
【００５６】
１    包装箱
２    胴部
２１  第１側板
２２  第２側板
４    天部
５    第１天フラップ
５１  抱込部
５３  揺動片
５５  開口部
６    第２天フラップ
６１  本体部
６３  折返部
ｆ    揺動折目線
ｇ    折目線
【図１】
0003223759.tif 000003
【図２】
0003223759.tif 000004
【図３】
0003223759.tif 000005
【図４】
0003223759.tif 000006
【図５】
0003223759.tif 000007
【図６】
0003223759.tif 000008